(57)【要約】【課題】ユーザの嗜好性を反映してコンテンツデータを再生できるようにする。【解決手段】ハードディスク２１に記録された全コンテンツデータに対して、ハードディスク２１におけるアドレス、コンテンツを特定するコンテンツＩＤ、コンテンツのタイトル、ジャンル、アーティスト等の付加情報に加えて、コンテンツに対する評価ポイントを併せて記録する。評価ポイントは、評価入力ボタン１４によって、コンテンツの再生時又はコンテンツリストをみながらユーザが簡便な操作で入力される。コンテンツデータ記録再生装置１は、評価ポイントに基づいてハードディスク２１よりコンテンツを抽出し再生する。【選択図】  図３
2005038541.tif 000002
【特許請求の範囲】
【請求項１】
コンテンツデータが記憶される記憶手段と、
上記コンテンツデータを再生する再生手段と、
上記再生手段にて再生されたコンテンツに対して評価ポイントが入力される評価入力手段と、
上記入力された評価ポイントを上記コンテンツデータと対応付けて上記記憶手段に格納する、又は既に記録された評価ポイントを上記入力された評価ポイントに基づいて更新する評価更新制御手段と
を備えることを特徴とするコンテンツデータ記録再生装置。
【請求項２】
上記コンテンツデータのリストを提示する提示手段を備え、
上記評価入力手段は、上記提示手段に提示されたコンテンツリストから選ばれるコンテンツに対して評価ポイントを入力し、上記評価更新制御手段は、上記入力された評価ポイントを上記コンテンツデータと対応付けて上記記憶手段に格納する、又は既に記録された評価ポイントを上記入力された評価点に基づいて更新することを特徴とする請求項１記載のコンテンツデータ記録再生装置。
【請求項３】
所定値以上の評価ポイントを有するコンテンツを抽出し該抽出したコンテンツを不規則に再生する再生制御手段を備えることを特徴とする請求項１記載のコンテンツデータ記録再生装置。
【請求項４】
所定値以上の評価ポイントを有するコンテンツを抽出し該抽出したコンテンツを評価ポイント順に再生する再生制御手段を備えることを特徴とする請求項１記載のコンテンツデータ記録再生装置。
【請求項５】
コンテンツデータを記憶する記憶手段から該コンテンツデータを再生する再生工程と、
上記再生工程にて再生されたコンテンツに対して評価ポイントが入力される評価入力工程と、
上記入力された評価ポイントを上記コンテンツデータと対応付けて上記記憶手段に格納する、又は既に記録された評価ポイントを上記入力された評価ポイントに基づいて更新する評価更新制御工程と
を有することを特徴とするコンテンツデータ記録再生方法。
【請求項６】
上記コンテンツデータのリストを提示する提示工程を有し、
上記評価入力工程では、上記提示工程にて提示されたコンテンツリストから選ばれるコンテンツに対して評価ポイントが入力され、上記評価更新制御工程では、上記入力された評価ポイントを上記コンテンツデータと対応付けて上記記憶手段に格納する、又は既に記録された評価ポイントを上記入力された評価ポイントに基づいて更新することを特徴とする請求項５記載のコンテンツデータ記録再生方法。
【請求項７】
所定値以上の評価ポイントを有するコンテンツを抽出し該抽出したコンテンツを不規則に再生する再生制御工程を有することを特徴とする請求項５記載のコンテンツデータ記録再生方法。
【請求項８】
所定値以上の評価ポイントを有するコンテンツを抽出し該抽出したコンテンツを評価ポイント順に再生する再生制御工程を有することを特徴とする請求項５記載のコンテンツデータ記録再生方法。
【発明の詳細な説明】
【技術分野】
【０００１】
本発明は、ランダムアクセス可能であってコンテンツデータを記憶した大容量記録媒体からコンテンツデータを再生するコンテンツデータ記録再生装置、大容量記録媒体にコンテンツデータを記憶し再生するコンテンツデータ記録再生方法に関する。
【背景技術】
【０００２】
近年、ＨＤＤ（Hard Disc Drive）等の大容量記録媒体を備えたデジタルビデオレコーダや音楽記録再生装置（音楽プレイヤ）がある。このような記録装置のなかには、数十時間、数千曲・数万曲規模のコンテンツが記憶できるものもある。これら記録再生装置は、ランダムアクセス可能であるため、例えば、ＣＤ（Compact Disc）やＭＤ（Mini Disc）（登録商標）等のように、記録したコンテンツを記録媒体中に記録された順番ではない、いわゆる「シャッフル再生」「ランダム再生」のような再生のしかたが機能として用意されている。
【０００３】
しかし、このように非常に多くのコンテンツを格納できるようになると、記録されたファイル（コンテンツデータ）の管理が困難になる。例えば、ユーザの嗜好の変化や音楽の流行とともに聴かなくなった楽曲が記録媒体に含まれたままになってしまうということが十分起こり得る。ほかにも、例えばネットワーク等を介して代金を支払って折角入手したコンテンツであるため、聴かなくなったコンテンツであるにもかかわらず消去されずに残されている場合などもある。消去してしまうと、万が一再び必要となったときに困ることもある。
【０００４】
そこで、例えば、大容量記録媒体を有する音楽プレイヤにて記録されたコンテンツを整理する手法として、データを使用頻度に応じて再度取り出し可能な、すなわち復元可能な一時記憶手段に移動し、さらに予め決められた期間を経過すると一時記憶手段のなかからも自動的に削除することで不要データの削除及び復元を容易に行って記録媒体の容量を確保する技術が提案されている（例えば、特許文献１参照。）。
【０００５】
【特許文献１】特開平１１−２３２８４０号公報
【発明の開示】
【発明が解決しようとする課題】
【０００６】
ところが、上記文献に記載の技術では一時記憶手段に格納する操作は、ユーザによる操作であるため、コンテンツを削除するか否かを選択する操作をコンテンツ毎に行うことはユーザにとって非常に煩わしい場合があった。
【０００７】
また、コンテンツデータの要か不要かは、実際には明確に区別できない場合が多い。上記文献の技術では、聴きたい（使用したい）ときに復元可能になっているが、一時記憶手段に格納した状態では、結局使用できない状態にあることには変わりない。すなわち、「シャッフル再生」や「ランダム再生」機能を使用した場合にも、一時記憶手段に格納されたコンテンツは使用されないことになる。しかし、例えば、比較的頻繁に使用する曲に比べると殆ど使用しないといえるが、ある程度の頻度では使用したいため完全に削除（或いは一時記憶手段に移動）できない曲もあるのが実際である。すなわち、頻度は低くてよく「時々聴きたい」場合である。
【課題を解決するための手段】
【０００８】
そこで本発明は、ユーザの嗜好性を反映してコンテンツデータを再生できるコンテンツデータ記録再生装置、及びユーザの嗜好性を表す情報とともにコンテンツデータを記録するコンテンツデータ記録再生方法を提供することを目的とする。
【０００９】
本発明に係るコンテンツデータ記録再生装置は、評価更新制御手段によって、ユーザによって評価入力手段にて入力された評価ポイントをコンテンツデータと対応付けて記憶手段に格納する、又は既に記録された評価ポイントを入力された評価ポイントに基づいて更新する。
【００１０】
このコンテンツデータ記録再生装置は、コンテンツデータのリストを提示する提示手段を備え、評価入力手段によって提示手段に提示されたコンテンツリストから選ばれるコンテンツに対して評価ポイントが入力されると、評価更新制御手段は、入力された評価ポイントをコンテンツデータと対応付けて記憶手段に格納する、又は既に記録された評価ポイントを入力された評価ポイントに基づいて更新する。
【００１１】
また、コンテンツデータ記録再生装置は、所定値以上の評価ポイントを有するコンテンツを抽出し該抽出したコンテンツを不規則に再生する再生制御手段を備えることが好ましい。この再生制御手段は、抽出したコンテンツを評価ポイント順に再生するものであってもよい。
【００１２】
本発明に係るコンテンツデータ記録再生方法は、評価入力工程において、再生工程にて再生されたコンテンツに対して評価ポイントが入力され、評価更新制御工程において、入力された評価ポイントをコンテンツデータと対応付けて記憶手段に格納する、又は既に記録された評価ポイントを入力された評価ポイントに基づいて更新する。
【００１３】
この記録方法は、さらにコンテンツデータのリストを提示する提示工程を有し、提示工程にて提示されたコンテンツリストから選ばれるコンテンツに対して評価入力工程にて評価ポイントが入力されると、評価更新制御工程では、入力された評価ポイントをコンテンツデータと対応付けて記憶手段に格納する、又は既に記録された評価ポイントを入力された評価ポイントに基づいて更新する。
【００１４】
また、このコンテンツデータ記録再生方法は、所定値以上の評価ポイントを有するコンテンツを抽出し該抽出したコンテンツを不規則に再生する、若しくは抽出したコンテンツを評価ポイント順に再生する再生制御工程を有していてもよい。
【発明の効果】
【００１５】
本発明に係るコンテンツデータ記録再生装置によれば、評価入力手段にて入力された評価ポイントをコンテンツデータと対応付けて記憶手段に格納する、又は既に記録された評価ポイントを入力された評価ポイントに基づいて更新することにより、評価入力手段における単純な操作にて記憶手段に格納されたコンテンツを整理することができる。また、コンテンツデータ記録再生装置に所定値以上の評価ポイントを有するコンテンツを抽出し該抽出したコンテンツを不規則に再生する或いは抽出したコンテンツを評価ポイント順に再生する再生制御手段を備えることによって、コンテンツを再生する際には、評価ポイントに応じた再生が行える。したがって、ユーザは、煩雑な選択操作を行わなくてもユーザの嗜好性や利用状況を反映した評価ポイントに基づいて再生コンテンツの選択が自動的に実行される。
【００１６】
また、本発明に係るコンテンツデータ記録再生方法によれば、ユーザによって入力された評価ポイントをコンテンツデータと対応付けて記憶手段に格納する、又は既に記録された評価ポイントを入力された評価ポイントに基づいて更新することにより、評価入力工程における単純な操作にて記憶手段に格納されたコンテンツが整理される。また、所定値以上の評価ポイントを有するコンテンツを抽出し該抽出したコンテンツを不規則に再生する或いは抽出したコンテンツを評価ポイント順に再生する再生制御工程を設けることによって、コンテンツが再生される際には、評価ポイントに応じて再生される。したがって、本発明に係るコンテンツデータ記録再生方法によれば、ユーザが煩雑な選択操作を行わなくてもユーザの嗜好性や利用状況を反映した評価ポイントに基づいて再生コンテンツの選択が自動的に実行される。
【発明を実施するための最良の形態】
【００１７】
本発明の具体例として示すコンテンツデータ記録再生装置は、ランダムアクセス可能な大容量記録媒体を備えており、評価入力手段として用意された入力ボタンからユーザによって入力された評価ポイントをコンテンツデータと対応付けて大容量記録媒体に格納する、又は既にこのコンテンツデータに評価ポイントが与えられている場合には、入力された評価ポイントに基づいて既に記録された評価ポイントを更新できるようにしたものである。このようにコンテンツデータに対して評価ポイントを入力・変更できるようにしたことにより、このコンテンツデータ記録再生装置は、コンテンツデータとともに記録された評価ポイントに基づいて様々なコンテンツデータの提供のしかたが可能になっている。
【００１８】
本具体例は、特に、記録されたコンテンツのなかからユーザが特定のコンテンツを明示的に選択して再生する場合よりむしろ、装置がコンテンツを自動的に抽出して再生する「ランダム再生」や「シャッフル再生」と組み合わせて用いることでより一層の効果を発揮する。コンテンツデータの再生のしかたとしては、例えば、所定の評価ポイント以上のコンテンツのみを抽出して再生したり、上位の評価ポイントが与えられたコンテンツのみを優先的に再生したり、評価ポイントを再生頻度に置き換えて自動的に再生したりする手法があげられる。
【実施例】
【００１９】
以下、本発明の具体例として示すコンテンツデータ記録再生装置を図面を参照して詳細に説明する。本発明では、コンテンツデータ記録再生装置１は、主として音楽コンテンツを扱う携帯型機器として説明する。
【００２０】
図１に示すように、コンテンツデータ記録再生装置１は、図１には本体部１１の内部に図示しないハードディスクを備え、このハードディスクに記録されたデータの内容が表示される表示部１２と、装置の操作のための操作入力ボタン１３とを備えている。さらに、この装置の操作のための操作入力ボタン１３とは別に、記録されたコンテンツに対して評価を入力するための評価入力ボタン１４を備えている。ハードディスクには、通常音楽コンテンツが圧縮されて格納されており、復元されたコンテンツデータは、ヘッドフォン１５より外部に出力される。また、本体部１１に対してヘッドフォン１５を接続している接続線の中途部にリモコン部１６が設けられ、リモコン部１６にも操作入力のためのリモコン側操作入力ボタン１３ａとリモコン側評価入力ボタン１４ａとが設けられている。したがって、ユーザは、リモコン部１６を用いてもこの装置に対する操作入力及び評価入力が行える。
【００２１】
具体的な構成としてコンテンツデータ記録再生装置１は、図２に示すように、コンテンツデータが蓄積されたハードディスク２１と、この装置の操作に関する表示及びコンテンツに関する情報が表示される液晶表示パネル（ＬＣＤ；Liquid Crystal Display）２２と、ＬＣＤを駆動するＬＣＤドライバ２３と、再生、停止等この装置の動作に対する基本的な操作入力が行われる操作入力部２４と、記録されたコンテンツに対する評価が入力される評価入力部２５と、これら各構成を統括制御するほか評価入力部２５にて入力された評価ポイントに基づいてハードディスク２１に記録されたコンテンツデータに評価ポイントを対応付ける、又は評価ポイントを更新する処理を行う制御部２６を備えている。
【００２２】
コンテンツデータは、所定の方法にて圧縮符号化された圧縮データとしてハードディスク２１に格納されている。そのため、コンテンツデータを圧縮符号化するエンコーダ２７と、圧縮データを元のコンテンツデータに復号するデコーダ２８を備えている。ハードディスク２１は、ランダムアクセスが可能であるため、ここに格納された音楽コンテンツを任意の順序にて連続的に再生することができる。
【００２３】
コンテンツデータ記録再生装置１は、このほかに、外部にコンテンツを出力する構成として、デコーダ２８にて復号されたコンテンツデータを変換するＤ／Ａ（Digital to Analog）変換回路２９、アンプ回路３０、出力端子３１を備えている。出力端子３１には、ヘッドフォン１５が接続される。さらにコンテンツデータ記録再生装置１は、外部からコンテンツデータを入力するための構成として、入力端子３２、Ａ／Ｄ（Analog to Digital）変換回路３３を備え、Ａ／Ｄ変換された入力データは、エンコーダ２７により圧縮符号化される。また、外部機器とのインターフェイス回路３４、いわゆるインターネットのようなネットワークに接続するためのネットワークインターフェイス３５を備えていてもよい。これらの構成を含む場合は、外部からコンテンツデータを入力できる。また、着脱可能な記録媒体３７に対するドライバ回路３６を備えていてもよい。
【００２４】
なお、図２に示す操作入力部２４は、図１の操作入力ボタン１３に対応し、評価入力部２５は、評価入力ボタン１４に対応し、ＬＣＤ２２及びＬＣＤドライバ２３は、表示部１２に対応している。
【００２５】
上述したコンテンツデータ記録再生装置１において、表示部１２は、例えば、ＬＣＤ（Liquid Crystal Display）２２であって、ＬＣＤドライバ２３を介してＣＰＵに接続されている。ＣＰＵからの描画制御信号に基づいてＬＣＤが駆動され、所定の表示がなされる。ハードディスク２１に格納されたコンテンツのリストは、必要に応じて表示部１２のＬＣＤ２２に表示される。ユーザは、この表示を参考にして所望のコンテンツを選択して再生させたり後述する評価ポイントを入力したりすることができる。
【００２６】
操作入力部２４及び評価入力部２５は、例えば押しボタン式のスイッチになっている。図１に示すように、評価入力ボタン１４には、プラス（上方向）、マイナス（下方向）のキーがあり、押下されたキーによって２種類の評価ポイントが与えられるようになっている。本具体例では、プラスキーが評価ポイントを上げるキー、マイナスキーが評価ポイントを下げるキーになっている。すなわち、ユーザは、表示部１２に表示されるコンテンツリストをみながら、或いは音楽コンテンツを聴きながら何れかのボタンを押下するという単純な操作によって、そのコンテンツに対して評価ポイントが入力できる。
【００２７】
操作入力部２４及び評価入力部２５は、押しボタン式のほか、タッチパネル式の入力デバイスが設けられたＬＣＤ、選択と決定とが１構成にて行える回動プッシュ式のキーであってもよい。また、評価を上げる方向（プラス）、評価を下げる方向（マイナス）の何れか一方のキーのみが用意されているだけであってもよい。なお、操作キーの類似性に注目すると、例えば専用ボタンを設けてモード切換を行えるようにすれば、評価ポイントの入力と音量の調節とを兼用キーにて行うこともできる。
【００２８】
制御部２６のＲＯＭには、このコンテンツデータ記録再生装置を制御するためのプログラムが予め記憶されており、制御部２６におけるＣＰＵは、評価入力ボタンにて入力された評価ポイントをコンテンツデータと対応付けてハードディスク２１に格納する処理、また、既にそのコンテンツに評価ポイントが与えられている場合には、入力された評価ポイントに基づいて既に記録された評価ポイントを更新する評価更新処理を実行している。また、ハードディスク２１のなかから任意のコンテンツを抽出して再生する、いわゆる「ランダム再生」や「シャッフル再生」等の自動再生を実行している。なおここでＲＡＭは、ＣＰＵの作業領域であって、ＣＰＵがプログラムを実行する上でのデータ領域、タスク領域等が一時的に確保される。
【００２９】
制御部２６は、評価入力部２５（図１の評価入力ボタン１４）のプラスキーが押下される度にコンテンツに対する評価ポイントを１つ増加し、マイナスキーが押下されるとコンテンツに対する評価ポイントを１つ減じている。これにより、例えば評価ポイントが数多く与えられた音楽コンテンツは、結果として自動演奏時などにおける演奏頻度が上がり、評価ポイントが低い音楽コンテンツは、演奏頻度が低くなる。したがって、ユーザは、評価入力ボタン１４を押下するという比較的簡単な操作によって、自分の嗜好性に基づいてハードディスク２１に蓄積された音楽コンテンツを整理するための情報を付けることができる。
【００３０】
続いて、コンテンツデータ記録再生装置１において、ハードディスク２１に記録される評価ポイントとコンテンツデータとの対応付けについて図３を用いて説明する。図３に示す対応テーブルには、ハードディスク２１に記録された全コンテンツデータに対して、ハードディスク２１におけるアドレス、コンテンツを特定するコンテンツＩＤ、コンテンツに対する評価ポイント、コンテンツのタイトル、ジャンル、アーティスト等の付加情報が記述されている。この対応テーブルは、上述した評価入力ボタン１４から入力されると、評価ポイントの項目に記述された数値が制御部２６によって更新される。また、図３に示したコンテンツデータ及び評価ポイントをはじめとするコンテンツに関する情報の対応テーブルは、再生処理の際にまず最初に参照され、再生処理に活用される。
【００３１】
次に、コンテンツデータ記録再生装置１がユーザによって与えられた評価ポイントを更新する処理について説明する。まず、コンテンツデータ記録再生装置１が表示部１２に表示したコンテンツリスト上にてユーザが入力した評価ポイントに基づいて対応テーブルを更新する処理を図４を用いて説明する。
【００３２】
ステップＳ１として、コンテンツデータ記録再生装置１において、予め決められた所定の操作がユーザによって操作入力ボタン１３を介して行われると、コンテンツデータ記録再生装置１の制御部２６は、ステップＳ２にて表示部１２のＬＣＤ２２にコンテンツのリストを表示する。
【００３３】
ステップＳ３にて、ユーザから操作入力ボタン１３を用いて、コンテンツが選択・決定され、決定されたコンテンツに対して評価入力ボタン１４が押されると、制御部２６は、ステップＳ４において、プラスキーが押された場合に評価ポイントを１つ増やし、マイナスキーが押された場合に評価ポイントを１つ減らす。制御部２６は、ステップＳ５にて対応テーブルを更新する。さらに別のコンテンツが選択され操作が続く場合には、ステップＳ３乃至ステップＳ５の処理を繰り返し行う。
【００３４】
図５には、コンテンツデータ記録再生装置１が再生中のコンテンツに対して入力された評価ポイントに基づいて対応テーブルを更新する処理を示す。
【００３５】
コンテンツデータ記録再生装置１は、ユーザによって選択されたコンテンツを再生するモード、或いは「ランダム再生」や「シャッフル再生」といった自動再生にてコンテンツを再生するモードにあるとする。このとき、ステップＳ１１にて、制御部２６は、評価入力ボタン１４が押されたか否かを判別する。押されなければ再び戻る。ステップＳ１２において、押されたキーがプラスキーであった場合、現在再生中のコンテンツの評価ポイントを１つ増し、マイナスキーだった場合、再生中のコンテンツの評価ポイントを１つ減らす。制御部２６は、ステップＳ１３にて対応テーブルを更新する。制御部２６は、ステップＳ１４にて、再生されるコンテンツが変更されたか否かを判別する。コンテンツが変われば、ステップＳ１１からの処理を繰り返し行う。
【００３６】
以上説明した図４及び図５の処理によれば、ユーザによって各コンテンツに対する評価ポイントが与えられ、対応テーブルが更新される。コンテンツデータに対する評価ポイントのカウント数の変化のみに着目すると、図３に示す対応テーブルは、図６のように表せる。図６に示すグラフの評価ポイントのカウント数は、上述の図４又は図５に示す処理が行われる度に更新されるため、常に変動していることになる。換言すれば、このグラフは、コンテンツ毎のユーザの嗜好性を評価ポイントとしてカウントしたものである。
【００３７】
続いて、図３の対応テーブルを用いたコンテンツの再生方法の例について説明する。対応テーブルは、特にコンテンツデータ記録再生装置１による「ランダム再生」や「シャッフル再生」の際に有効に活用できる。例えば、所定値以上の評価ポイントを有するコンテンツを抽出し、抽出したコンテンツのみを再生したり、評価ポイント順に再生したりする方法があげられる。ランダム再生を実行するアルゴリズムにおいて、評価ポイントの高いコンテンツを重み付けすることにより、ランダム再生であっても、ユーザの評価が高いコンテンツがより優先的に再生される。したがって、ユーザの嗜好性を反映したコンテンツ再生になる。
【００３８】
以上の処理によれば、例えば、「ランダム再生」や「シャッフル再生」というものが、はじめはコンテンツデータ記録再生装置１によって自動的に（一方的に）選択されたコンテンツが再生されるようになっていたとしても、この機能を使用しているうちにユーザの嗜好にあったコンテンツが選択される確率が高くなり、ユーザが希望しないコンテンツが選択される確率が低くなってくることになる。
【００３９】
勿論、ユーザ自身がコンテンツを選択して再生する場合にもこの処理は適用できる。この場合は、ユーザによってあるコンテンツが選択された時点で自動的に評価ポイントが与えられるようにしてもよい。そして、ユーザが選択したコンテンツが再生されている間にユーザから評価ポイントが入力されれば、この評価ポイントがさらに加えられて図３の対応テーブルが更新される。
【００４０】
音楽の趣向は、ユーザの気分や流行によって左右されるものであるため、たとえ聴かなくなったにしても消去していなければ、再び必要になったときに使用できる。コンテンツデータ記録再生装置１によれば、「ランダム再生」や「シャッフル再生」のような自動再生時に一時的に再生されないような設定になっていたとしても、評価ポイントが上がれば再び自動再生でも使用されるようになるという利点がある。
【００４１】
このように、コンテンツデータ記録再生装置１によれば、大容量記録媒体を備え、数千・数万曲規模の音楽コンテンツを記録可能であっても、この装置又はリモコン部にコンテンツの評価を与えるための評価入力ボタンを設けることによって、ユーザがこのボタンを押下するという単純な操作にてコンテンツを整理するための情報を記述できる。これにより、大量に記録されたコンテンツをユーザの嗜好に合うように使用できる。
【００４２】
なお、上述のコンテンツデータ記録再生装置１に備えられる記録媒体としては、ハードディスクのほかにＣＤ、ＭＤ、ＤＶＤ（Digital Versatile Disc）等の大容量記録媒体があげられる。これらが着脱自在に設けられていてもよい。さらに、ネットワークを介して、例えばストリーミングなどの方法によって、機器側が保持しないコンテンツを視聴する場合にも適用可能であることはいうまでもない。
【００４３】
また、コンテンツデータ記録再生装置１は、携帯型機器として説明したが、据置型機器であってもよい。据置型の場合には、例えば、この機器を遠隔操作するための遠隔操作装置（リモコン装置）に評価入力ボタンを設ければよい。この際、リモコン装置に少なくともコンテンツリストを表示可能な程度の表示部を設ければ、上述したコンテンツデータ記録再生装置１の場合と同様の使用が可能である。
【００４４】
コンテンツデータの記録における圧縮符号化には様々な手法が適用可能である。例えば、聴覚の性質に基づくマスキング効果及び最小可聴限の周波数依存性を利用し変換符号化とエントロピーコーディングとを併用して音声データの圧縮符号化を行うＡＴＲＡＣ（Adaptive Transform Acoustic Coding）方式、ＭＰＥＧ（Moving Picture Experts Group）方式、ＰＡＳＣ（Precision Adaptive Sub-band Coding）等や周知汎用のエンコードアルゴリズムを用いることができる。
【００４５】
評価ポイントは、通常の記録媒体中のファイル管理に使用されるＦＡＴ（File Allocation Table）に付加されていてもよい。評価ポイントの与え方は、上述の例のほかにも種々の手法が考えられるが、コンテンツデータを互いに比較し得る情報が含まれていればよい。例えば、評価ポイントのように入力の度に加算されていくものでなく、数段階の分類が付けられるものであってもよい。
【００４６】
また、評価ポイントが所定期間変動しなければ、つまりコンテンツが所定期間使用されなければ、評価ポイントをリセットするような或いは時間とともに評価ポイントのカウント数を減衰させるようなアルゴリズムを導入することもできる。さらにまた、コンテンツの全てを再生する前に終了された場合、コンテンツ途中で早送りされた場合などに評価ポイントを下げたり、巻き戻されて再度再生された場合に評価ポイントを上げるようにしてもよい。これにより、ユーザの嗜好と利用状況とをより一層反映した音楽コンテンツの選択再生が行える。
【産業上の利用可能性】
【００４７】
音楽や映像を含む大量のコンテンツを記録可能な記録装置において、頻繁に使用するコンテンツとそうでないコンテンツとを区別する際に利用できる。その際、コンテンツが再生される度に評価ポイントが更新されていくため、ユーザがコンテンツの視聴動作を繰り返すうちにコンテンツが容易に区別（分類）され、ユーザの嗜好性を反映した種々の再生が実行されるという利点がある。
【図面の簡単な説明】
【００４８】
【図１】本発明の具体例として示すコンテンツデータ記録再生装置を説明する外観図である。
【図２】上記コンテンツデータ記録再生装置を説明する構成図である。
【図３】上記コンテンツデータ記録再生装置のハードディスクに記録される評価ポイントとコンテンツデータとの対応表を説明する図である。
【図４】上記コンテンツデータ記録再生装置が表示部に表示したコンテンツリスト上にてユーザが入力した評価ポイントに基づいて対応テーブルを更新する処理を説明するフローチャートである。
【図５】上記コンテンツデータ記録再生装置が再生中のコンテンツに対して入力した評価ポイントに基づいて対応テーブルを更新する処理を説明するフローチャートである。
【図６】コンテンツデータに対する評価ポイントのカウント数を表した図である。
【符号の説明】
【００４９】
１  コンテンツデータ記録再生装置、１０  ＨＤＤ、１１  本体部、１２  表示部、
１３  操作入力ボタン、１４  評価入力ボタン、１５  ヘッドフォン、
１６  リモコン部、２１  ハードディスク、２２  ＬＣＤ、２３  ＬＣＤドライバ、
２４  操作入力部、２５  評価入力部
【図１】
2005038541.tif 000003
【図２】
2005038541.tif 000004
【図３】
2005038541.tif 000005
【図４】
2005038541.tif 000006
【図５】
2005038541.tif 000007
【図６】
2005038541.tif 000008